Podtech/llm-jp-corpus-v4-ja_patent huggingface dataset:
(57)【要約】【課題】この発明は、中央付近に開口部を設け前後を透明プラスチック板等で開口部を密閉し、開口部内にグッズや物を収納できるようにした定形外郵便ハガキに関するものである。【解決手段】郵便ハガキの中央付近に穴をあけて開口部を作り、その前面と後面をプラスチック板等でカバーして開口部内にグッズや物が収納できるようにした。【選択図】  図１
2004255860.tif 000002
【特許請求の範囲】
【請求項１】
中央付近に開口部を設け、その前側と後側を透明なプラスチック板やフィルムなどでカバーして、その開口部内にグッズや物が収納できる郵便ハガキ。
【請求項２】
連結あるいは２枚より形成されたハガキ用紙の中央付近に開口部をそれぞれ設け、内側になる面の開口部にプラスチック板やフィルムなどを、それぞれ貼り付けた後、粘着材や接着剤で一体化できるようにした請求項１の郵便ハガキ。
【請求項３】
透明のプラスチック板やフィルムなどを袋状にした請求項１の郵便ハガキ。
【請求項４】
プラスチックやエンビ板などを凸状に形成した請求項１の郵便ハガキ。
【請求項５】
製造段階で開口部内にグッズや物を封入した請求項１の郵便ハガキ。
【請求項６】
ハガキ大の透明なプラスチック板の中央付近を凸状に形成し、更に反対面に平面あるいは凸状のプラスチック板を組み付けた請求項１の郵便ハガキ。
【請求項７】
中央付近に開口部を設け、その開口部にプラスチックケースを取り付けた請求項１の郵便ハガキ。
【発明の詳細な説明】
【０００１】
【発明の属する技術分野】
この発明は中央付近にグッズや物を収納できる開口部を設け、前後に透明なプラスチックやエンビ板などを取り付けた郵便ハガキに関するものである。
【０００２】
【従来の技術】
郵便ハガキの裏面にグッズや物などをプラスチックフィルムで取り付けたものがあったが、グッズや物の前後両面の姿、形を見ることが出来なかった。
又、自分で好きな物を収納することもできなかった。
【０００３】
【発明が解決しようとする課題】
本発明は、従来の欠点を除いて郵便ハガキの前面からでも、後面からでも、その形を確認できるようにしたことと、この郵便ハガキの所持者が自分の好きな物を収納して郵便ハガキとして郵送できるようにしたことにある。
【０００４】
【課題を解決するための段階】
今、その解決段階を図面を追いながら説明すると、
（イ）郵便ハガキ（１）の中央付近に、開口部（３）を設ける
（ロ）その開口部（３）の前後に透明なエンビ板やプラスチック板（２）等を貼り付ける。
（ハ）開口部（３）の中にグッズや物を収納する。
【０００５】
【発明の実施の形態】
本発明は、以上のような構造であるから、これを使用する時は次の如きことができる。
【０００６】
（１）予め、片面のプラスチック板は、郵便ハガキに固着して置き、開口部内に、薄型のグッズや物を収納した後、反対面のプラスチック板を両面テープや接着剤等で郵便ハガキに接着する。
【０００７】
（２）連結あるいは２枚より形成されたハガキ用紙の中央付近に開口部をそれぞれ設け、内側になる面に穴をふさぐ形状で透明フィルムや透明プラスチック板を、それぞれ貼り付けた後、前後のプラスチック板の間に薄型のグッズや物を挟んで粘着剤が塗られた内面で連結あるいは２枚より形成されたハガキを貼り合わせて一体化する。平面状のプラスチック板は、厚さが薄いので物が封入された時膨らむ。
（３）開口部に透明なプラスチックフィルム製の袋を取り付けたものは、袋を密閉することで液状のものや砂などの特殊なものを封入することが
できる。
（４）グッズや物が立体形の場合、プラスチック板を凸状に形成して立体物が収納できるだけの空間部を設ける。プラスチック板の凸部は、前面後面の両方、あるいは、どちらか片方でもよい。立体物を収納した後は、粘着面や接着剤等を使ってハガキを一体化して完成する。
（５）製造段階で、予め、キャラクターグッズや物を封入して完成した商品としての郵便ハガキとしてもよい。
（６）ハガキ本体が、プラスチック材で形成されていてもよい。
（７）連結あるいは２枚より形成されたハガキの場合はグッズや物を取り出した後、再収納も可能な弱粘着材を使った構造としてもよい。
（８）プラスチック板は、塩化ビニール樹脂（エンビ）やＰ．Ｐ等で、材質は、透明又は半透明であれば何でもよい。
（９）透明なハガキ大のプラスチック板に凸状のプラスチック板を中央付近に貼り付けた場合、ハガキに開口部をあけなくても同様の効果がある。収納部以外のハガキ面は白色などの着色をしたほうが望ましい。又、透明なハガキ大のプラスチック板は平面板でもよい。
（１０）開口部に透明のプラスチックケースを取り付けることでプラスチックケース内にグッズや物を収納できる。
（１１）以上、列記したものは、すべて定形外郵便ハガキである。
【０００８】
【発明の効果】
以上の構造により、郵便ハガキの中央部付近にグッズや物等を収納することができる。又、郵便ハガキの前面後面、両方からグッズ等を観賞できるようになった。更に、必要に応じてハガキを分解してグッズや物を取り出すこともできる。
尚、弱粘着でハガキ用紙を一体化した構造とすればグッズや物の取り出し、再収納が容易にできる。メーカーの製造段階でグッズや物を予め、収納して販売することも可能である。
【図面の簡単な説明】
図１は、１枚より形成されたハガキの正面図。
図２は、１枚より形成されたハガキの背面図。
図３は、連結されたハガキの組み立て前の斜視図。
図４は、連結されたハガキを一体化した斜視図。
図５は、連結されたハガキにプラスチックの袋を取り付けた斜視図。
図６は、凸状のプラスチック板を組み付けたハガキの側面図。
図７は、ハガキにプラスチックケースを取り付けた斜視図。
【符号の説明】
１は、１枚形ハガキ
２は、プラスチック板
３は、開口部
４は、粘着剤（又は接着剤）
５は、連結されたハガキ
６は、プラスチックの袋
７は、ハガキ
８は、プラスチック板の凸部
９は、プラスチックケース
【図１】
2004255860.tif 000003
【図２】
2004255860.tif 000004
【図３】
2004255860.tif 000005
【図４】
2004255860.tif 000006
【図５】
2004255860.tif 000007
【図６】
2004255860.tif 000008
【図７】
2004255860.tif 000009
(57)【要約】【目  的】有色紙を重ねて厚みと色彩を設け絵及び文字を全体に表現する彫刻方法を提供する。【構  成】有色紙を重ねることによりできる厚みと色彩を彫刻刀で絵又は文字を彫る工程とからななる有色紙への新規彫刻方法。【選択図】図３
2004255858.tif 000002
【特許請求の範囲】
【請求項１】
着色された絵画、図案、写真、及び文字等のいずれか又は複合したものを下絵とし、着色された絵画、図案、写真、及び文字等のいずれか又は複合したものに相当する色数の有色紙を選択し、彫りすすめる順番を決め、彫りすすめる順番に従い有色紙を重ね、重ねた有色紙の最上部に、着色された絵画、図案、写真、及び文字等のいずれか又は複合した下絵を乗せ、着色された絵画、図案、写真、及び文字等のいずれか又は複合したものに相当する色数の有色紙とともにホチキスで綴じ、出現させたい色の有色紙の上にカッティングマットを乗せ下絵の線にしたがい下絵とともに彫刻刀やカッターでカッティングマットが露出するまで彫り取り、すべての図柄が彫り取られたのち、最後に下絵の残りを取り外して完成する、有色紙を用いて紙を彫ることにより表現された絵画。
【発明の詳細な説明】
【０００１】
【発明の属する技術分野】
本発明は有色紙を重ねることによってできる厚みと色彩の紙を彫る彫刻に関する。
【０００２】
【発明の実施の形態】
以下、本発明の実施の形態を図１〜図５に基づいて説明する。
【０００３】
図においては、１から１９は有色紙を重ねる番号。
【０００４】
２０は最上部にのせる図案。
【０００５】
２１から３９は重ねられた有色紙。
【０００６】
４０は図案と有色紙を固定したホチキス。
【０００７】
４１から４４は図柄に応じて彫り取られた有色紙の枚数。
【０００８】
【発明の効果】
上述したように本発明の彫紙アートは有色紙を重ねることにより彫刻刀やカッターで絵、絵画、図案、写真及び文字を彫ることによる新しい色彩をもつ紙の芸術を産み、美術への情操教育に貢献し、紙を彫る為に紙の厚みを必要とする為紙の需要を拡大できる。
【図面の簡単な説明】
【図１】本発明の実施の形態を示す彫紙アートの下絵例図
【図２】同彫紙アートの有色紙を重ねる順を示す下絵例図
【図３】同彫紙アートの外観図
【図４】同彫紙アートの正面図
【図５】同彫紙アートの図４におけるＡ−Ａ’線断面図
【図１】
2004255858.tif 000003
【図２】
2004255858.tif 000004
【図３】
2004255858.tif 000005
【図４】
2004255858.tif 000006
【図５】
2004255858.tif 000007
(57)【要約】【課題】基部の中央に開口部を有するサイズの小さい製品を効率よく成形する。【解決手段】コアを備えた可動型板と、ピンゲートを有し可動型板のコアを挿入、型締してキャビティを形成する固定型板とを備えた射出成形用金型において、前記コアに、ピンゲートの開口通路に入り込み該開口通路との相互間にて環状の微小隙間を形成する細径の先端部を設ける。【選択図】        図１
2004255823.tif 000002
【特許請求の範囲】
【請求項１】
コアを備えた可動型板と、ピンゲートを有し可動型板のコアを挿入、型締してキャビティを形成する固定型板とを備えた射出成形用金型において、
前記コアに、ピンゲートの開口通路に入り込み該開口通路との相互間にて環状の微小隙間を形成する細径の先端部を設けたことを特徴とする射出成形用金型。
【請求項２】
コアを備えた可動型板と、ピンゲートを有し可動型板のコアを挿入、型締してキャビティを形成する固定型板とを備えた射出形成用金型を用いて成形された成形体であって、
前記成形体は、その基部の中心に射出成形によって直接形成された開口部を有することを特徴とする成形体。
【発明の詳細な説明】
【０００１】
【発明の属する技術分野】
本発明は、射出成形用金型及びその金型によって成形された成形体に関するものであり、とくに基部の中央に開口を有するサイズの小さい製品を効率よく成形しようとするものである。
【０００２】
【従来の技術】
射出成形用の金型は、普通、コアを有する可動型板と、樹脂を流すためのゲートを有し可動型板のコアを挿入、型締してキャビティを形成する固定型板とから構成されている。そして、とくにゲートについてはキャビティの全体に対して樹脂を均等に流すために、サイズの比較的大きな製品を成形するには金型内にタブゲート系であるファンゲートが用いられ、サイズの比較的小さな製品を成形するには直径が０．２〜１．２ｍｍ程度になるピンタイプのゲートが用いられている。
【０００３】
このような金型を用いる射出成形では生産性の改善を図る観点から、金型内の樹脂を短時間で固化させて成形品を取り出せることや成形後に仕上げ加工等の後処理が不要であることが重要な要件の一つになっている（例えば特許文献１参照）。
【０００４】
【特許文献１】
特開昭６１−３０８２０号公報
【０００５】
ところで、製品サイズが小さくとくに基部の中心に開口部を有する成形体を作製するには一般に使用されているようなピンゲートに換えて該開口部を形成するゲートを配置する必要があるところ、従来用いられている射出成形用の金型では該ゲートを配置する場所がなく、さらには製品サイズが小さいことからスペースにも余裕がないために射出成形によって直接作製するのは不可能であって、金型から成形品を取り出した後に開口部を形成する孔開け加工が必要とされ、生産性の改善を図るにも限界があるのが現状であった。
【０００６】
【発明が解決しようとする課題】
本発明の課題は、製品サイズが小さく基部の中心に開口部を有する成形体を直接射出成形できる金型とその成形体を提案するところにある。
【０００７】
【課題を解決するための手段】
本発明は、コアを備えた可動型板と、ピンゲートを有し可動型板のコアを挿入、型締してキャビティを形成する固定型板とを備えた射出成形用金型であって、前記コアに、ピンゲートの開口通路に入り込み該開口通路との相互間にて環状の微小隙間を形成する細径の先端部を設けたことを特徴とする射出成形用金型である。
【０００８】
また、本発明は、コアを備えた可動型板と、ピンゲートを有し可動型板のコアを挿入、型締してキャビティを形成する固定型板とを備えた射出形成用金型を用いて成形された成形体であって、前記成形体は、その基部の中心に射出成形によって直接形成された開口部を有することを特徴とする成形体である。
【０００９】
以下、図面を用いて本発明をより具体的に説明する。
【００１０】
図１は本発明の実施に用いて好適な射出成形用金型の要部を拡大して示した図であり、図２は図１に示した金型を用いて成形した成形体（円形の基部を備えたブラシ付きの中栓として例示）、そして図３は図２の外観斜視図である。
【００１１】
図１において１は型締、型開き用の駆動機構を備える可動型板（駆動機構は図示せず）、２は可動型板１とともに進退移動可能なコア、３は固定型板、４は固定型板３に設けられたピンゲート、５は可動型板１と固定型板３との型締め状態で形成されるキャビティである。
【００１２】
本発明にしたがう金型はコア２の本体部分の径よりも小さい径を有する先端部２ａが設けられており、この先端部２ａはこの例では長手方向（端部方向）縦断面が台形状を呈するものとして示してある。コア２は型締めの際にその先端部２ａがピンゲート４の開口通路４ａに入り込むもので、開口通路４ａとの相互間にて環状の微小隙間ｈが成形されることから、ピンゲート４を通して溶融樹脂がキャビティ内に射出されると図２及び図３に示すように成形体Ｓの基部の中心には開口部Ｓ′が形成される。なお、本実施の形態では、成形体に現れるピンゲートの形状はリング状となる。
【００１３】
射出成形用金型が本来備えるコア２について、その先端部２ａの径を細くする細径加工を施すことで余計なゲートを配置することなしに成形体Ｓの基部の中心に開口部Ｓ′を設けることができ、従来不可避であった孔開け等の仕上げ加工が不要になり、生産効率の改善が図られることになる。
【００１４】
ピンゲートの径は０．４〜１．２ｍｍ程度の範囲に設定するが普通であるが、本発明に従う金型にて形成される微小隙間ｈは、０．２ｍｍ程度とするのが好ましい。なお、微小隙間ｈは、成形すべき製品サイズに応じて適宜に変更されるものであり、とくに限定されるものではない。また、微小隙間ｈを形成するための先端部２ａの縦断面の形状は、ピンゲート４の開口通路４ａ内壁と先端部２ａの開口通路４ａに入り込む長手方向付け根部外壁との間で微小隙間ｈが確保できれば台形状でなくてもよく、この点に関しては適宜設計変更が可能であり、図示のものには限定されない。
【００１５】
射出成形に際して微小隙間ｈを確実に保持するため図１に示すように固定型板３には型締に際してコア２の型部に接触する縦リブ６を設けることができる。なお、本実施の形態に基づく成形体Ｓでは、その基部の中心開口部Ｓ′の周囲３箇所にも溶融樹脂を通す吐出通路となる開口部を形成するため図１に示すように固定型板３には型締めに際してコア２の肩部に接触する縦リブ６を設けており、該縦リブ６の存在によって射出成形に際して微小隙間ｈがより確実に保持される金型構造となっている。
【００１６】
【発明の効果】
本発明によれば、基部の中心に開口部を有する比較的サイズの小さい成形体を射出成形によって直接成形することが可能であり、製作効率の改善を図ることができる。
【図面の簡単な説明】
【図１】本発明にしたがう射出成形用金型の要部の断面を示した図である。
【図２】図１に示した金型を用いて作製した成形品の断面を示した図である。
【図３】図２の外観斜視図である。
【符号の説明】
１  可動型板
２  コア
２ａ  先端部
３  固定型板
４  ピンゲート
４ａ  開口通路
５  キャビティ
ｈ  微小隙間
Ｓ  成形体
Ｓ′  開口部
【図１】
2004255823.tif 000003
【図２】
2004255823.tif 000004
【図３】
2004255823.tif 000005
(57)【要約】【課題】靴紐止めタイプの靴において、靴紐を結ぶ代わりに使用し、靴紐をバネ等の反発力を利用することで、靴紐を２点以上で固定し、靴紐が緩まないようにした靴紐止めを提供する。【解決手段】天板部と本体部からなり、本体側面部には靴紐通し穴、本体内部に可動部を持ち、靴紐を靴のつま先から靴の紐穴に通して行き、最後の靴紐を結ぶ代わりに使用する。靴紐を２点以上で固定することで、靴紐の環部分が設けられ、靴紐を緩まないようにしたことを特徴とする靴紐止め。【選択図】    図１
2004255210.tif 000002
【特許請求の範囲】
【請求項１】
天板部と本体部で構成されており、本体部は、側面に靴紐通し穴を設け、内部に可動部を設け、可動部はバネ等の伸縮力で動く構造からなる。靴紐を靴のつま先から靴の紐穴に通して行き、最後の靴紐を結ぶ代わりに使用する。その靴紐を２点以上で固定することで、靴紐の環部分が設けられ、靴紐を緩まないようにしたことを特徴とする靴紐止め。
【請求項２】
靴紐止め天板部の表面に、文字や絵柄を入れたり、又は、天板部自体の形を変えることにより、それ自体にファッション性を持たせた靴紐止め。
【発明の詳細な説明】
【技術分野】
【０００１】本発明は、紐止めタイプの靴において、靴紐を結ぶ代わりに使用し、靴紐をバネ等の伸縮力を利用することで、靴紐を２点以上で固定し、靴紐が緩まないようにした靴紐止めに関するものである。
【背景技術】
【０００２】従来、脱ぎ履きの際に、靴紐を解いたり結んだりする手間が非常に面倒であり、その為に靴紐のないスリップ・オンタイプの靴があった。
【発明の開示】
【発明が解決しようとする課題】
【０００３】そのために、次のような問題点があった。
（イ）靴紐タイプを使用していた消費者で、ファッション性等重視の顧客ニーズについては、充分に満足されていない。
（ロ）履き始めがちょうど良ければ、次第に緩くなる。
本発明は、これらの問題点を解決するためになされたものである。
【問題を解決するための手段】
【０００４】天板部と本体部で構成されており、本体部は、側面に靴紐通し穴を設け、内部に可動部を設け、可動部はバネ等の伸縮力で動く構造からなる。靴紐を靴のつま先から靴の紐穴に通して行き、最後の靴紐を結ぶ代わりに使用する。その靴紐を２点以上で固定することで、靴紐の環部分が設けられ、靴紐を緩まないようにする。以上を特徴とする靴紐止めである。
【発明の効果】
【０００５】靴紐を解くことなく靴紐を緩めたり、靴紐を結ぶことなく、靴紐を締めたりできるので、靴の脱ぎ履きが容易であり、また、２点間で出来る靴紐の緩みは、環部分としても利用できる。そして、靴紐止めの表面に文字や絵柄を入れたり、又は、天板部自体の形を変えることにより、それ自体にファッション性を持たせ、アクセサリーとしても使用する事が出来る。
【発明を実施するための最良の形態】
【０００６】本発明は、紐止めタイプ靴の脱ぎ履きを容易にし、靴紐止めにファッション性を持たせることでアクセサリーとしても使用できる。それを図面について説明すれば、天板部１０と本体１１からなり、本体内部はバネ５の伸縮力により可動する可動部１、９で構成されている。本体両側面部には３、４、６、７の靴紐通し穴。可動部１、９にはそれぞれ、靴紐通し穴２、８が設けられている。可動部１を指で内側へ圧入することにより靴紐通し穴３と４が、２と連結し、靴紐を通すことが出来る。指を離すと元の状態に戻ろうとするため可動部２と靴紐通し穴３、４の連結部分で靴紐が締め付けられ固定される。可動部９も同様に靴紐を可動部９と靴紐通し穴６、７の連結部分で靴紐が締め付けられ固定されるようにしたものである。靴紐を緩める時は、可動部１、９を指で内側へ圧入することで、それぞれの靴紐が緩む。実際の使用については、靴紐を結ぶ代わりに２つある靴紐の先端を近い靴紐通し穴６、７にそれぞれ入れ、靴紐通し穴２の中で交差させ、それぞれ逆穴から外に出す。今度はそれらをそれぞれの環を作りながら同側面の靴紐通し穴３、４にそれぞれ靴紐の先端を入れ、靴紐通し穴８の中で交差させ逆穴から外に出して使用する。
【図面の簡単な説明】
【０００７】
【図１】本発明の実施例図
【図２】本発明の平面図
【図３】本発明の右側面図
【図４】本発明の正面図
【符号の説明】
【０００８】  １  可動部
２  靴紐通し穴
３  靴紐通し穴
４  靴紐通し穴
５  バネ
６  靴紐通し穴
７  靴紐通し穴
８  靴紐通し穴
９  可動部
１０  天板部
１１  本体部
１２  絵柄
【図１】
2004255210.tif 000003
【図２】
2004255210.tif 000004
【図３】
2004255210.tif 000005
【図４】
2004255210.tif 000006
(57)【要約】【課題】テーブルが介護者の移送の妨げにならないようなベッドの提供。【解決手段】フレーム２０のサイドビーム２２の外側面に支持体４０を枢着し、前記支持体４０が前記サイドビーム２２に添設した状態から前記サイドビームから起立した状態に変移されたとき、テーブル６０の支柱６２が、前記支持体４０の先端部に挿脱自在且つ所定範囲内にて回動可能に嵌着されるようにしてなる、ベッド装置。【選択図】  図１
2004255055.tif 000002
【特許請求の範囲】
【請求項１】
フレームのサイドビームの外側面に支持体を枢着し、前記支持体が前記サイドビームに添設した状態から前記サイドビームから起立した状態に変移されたとき、テーブルの支柱が、前記支持体の先端部に挿脱自在且つ所定範囲内にて回動可能に嵌着されるようにしてなる、ベッド装置。
【発明の詳細な説明】
【０００１】
【発明の属する技術分野】
本発明は、テーブルを備えたベッド装置に関する。
【０００２】
【従来の技術】
周知のように、ベッドのマットレス上に横たわる使用者の便宜のために、ベッドフレームにテーブルが設けられることがある（例えば特許文献１参照）。
【０００３】
【特許文献１】
特開平１０−１５１０４０号公報（第２〜５頁、図１〜６）
【０００４】
【発明が解決しようとする課題】
ところが、上記した従来のベッド装置においては、テーブルがベッドフレームに固定されているので、被介護者をベッド装置への移動あるいはベッド装置からの移動に際しては、テーブルが邪魔になっていた。
【０００５】
それ故に、本発明は、かような不具合を除去した、ベッド装置を提供することを、技術的課題とする。
【０００６】
【課題を解決するための手段】
上記した課題を解決するために講じた技術的手段は、フレーム及び前記フレーム上に載置される床板部を備える本体部並びに前記フレームに装着されたテーブルからなるベッド装置において、前記フレームのサイドビームの外側面に支持体を枢着し、前記支持体が前記サイドビームに添設した状態から前記サイドビームから起立した状態に変移されたとき、前記テーブルの支柱が、前記支持体の先端部に挿脱自在且つ所定範囲内にて回動可能に嵌着されるようにしたことである。
【０００７】
【発明の実施の形態】
図１乃至図３に依拠して、本発明にかかるベッド装置の一実施形態について説明する。
【０００８】
ベッド装置１０は、フレーム２０のサイドビーム２２の外側面には、上下方向に間隔を画成する１対のブラケット３０が溶着その他の手段で固定されている。この１対のブラケット３０の間には支持体４０の基端部が挿入されており、この基端部は、ボルト３２により、１対のブラケット３０に回動可能に支持される。つまり、支持体４０は、サイドビーム２２に枢着されており、支持体４０は、サイドビーム２２に添設された状態（図示略）から、サイドビーム２２から起立した状態に変移されるようになっている。支持体４０の先端部には穴４２が穿設されている。
【０００９】
支持体４０をサイドビーム２２から起立した状態にしたとき、支持体４０の上面には、ストッパ部材５０が装着される。ストッパ部材５０は、先端部に穴５２が穿設されている。この穴５２は、支持体４０の先端部の穴４２と符合する。しかして、テーブル６０の天板６８を支える段付部６４を備えた支柱６２が、ストッパ部材５０の先端部の穴５２及び支持体４０の先端部の穴４２に挿入されると、テーブル６０は支持体４０に回動可能に支持されると共に、ストッパ部材５０の先端部を支持体４０の先端部に固定する。
【００１０】
ストッパ部材５０の基端面は、上側のブラケット３０の先端面と密接係合しており、ストッパ部材５０の先端部が支持体４０の先端部に固定されていることと相俟って、支持体４０は、ボルト３２を中心とする回動が阻止され、図示のようなサイドビーム２２から起立した状態が保持される。この状態の保持は、ストッパ部材５０の基端部側に一体形成された爪部５４Ａと５４Ｃとが支持体４０を抱持することで、確実なものと出来る。
【００１１】
支柱６２の側面にはピン６６が設けられる。このピン６６の下端部は、段付部６４から、ストッパ部材５０の厚み分だけ、突出する。しかして、ストッパ部材５０の先端面には、ピン６６をガイドすべくストッパ部材５０の先端部の穴５２及び支持体４０の先端部の穴４２と同じ曲率を持つＲ部５６及びＲ部５６の両側に形成されて支柱６２と一体回動するピン６６の回動位置規制をなすストッパ部５８Ａ・５８Ｂが、形成される。
【００１２】
尚、ストッパ部材５０を天地反転させたとき、爪部５４Ｂと５４Ｄとが支持体４０を保持するようになっており、ストッパ部材５０の支持体４０への装着面をフリーとしている。これにより、図示とは反対側のサイドビームへテーブル設置を可能にする。また、図３に示すように、サイドビーム２２に上下方向に貫通する穴２２Ａにボルト３２を通し、ブラケット３０・３０を、サイドビーム２２に、着脱自在に装着しても良い。穴２２Ａとしては、側棚の足を受容するように、サイドビーム２２に形成されている穴を援用できる。
【００１３】
以上、本発明の実施の形態について説明したが、本発明は上述した実施の形態に限定される意図はなく、本発明の趣旨に沿った形態のベッド装置（特に介護用ベッド装置）であれば、どのようなものでもよい。
【００１４】
【発明の効果】
請求項１の発明によれば、フレームのサイドビームの外側面に支持体を枢着し、前記支持体が前記サイドビームに添設した状態から前記サイドビームから起立した状態に変移されたとき、テーブルの支柱が、前記支持体の先端部に挿脱自在且つ所定範囲内にて回動可能に嵌着されるようにしてなる、ベッド装置を構成したので、次のような実用上多大の効果を奏する。
【００１５】
介護者の移送の際にテーブルをフレームから、簡単に除去することが出来るので、当該移送が支障なく行える。
【００１６】
テーブルを回動させて天板をフレーム上からずらせば、フレーム上のマットレスがリクライニング作動しても、これと干渉しない。
【００１７】
テーブルが不要な場合は、支持体をフレームに添設させておけば、外方への突出度合いが減少し、周囲を歩く人の足との干渉頻度を減少できる。
【図面の簡単な説明】
【図１】本発明にかかるベッド装置の要部たるテーブル装着構造の一例の分解斜視図である。
【図２】図１のテーブル装着構造で採用されるストッパ部材の斜視図である。
【図３】ブラケットの取り付け構造の変形例の断面図である。
【符号の説明】
２０：フレーム
２２：サイドビーム
４０：支持体
６０：テーブル
６２：支柱
【図１】
2004255055.tif 000003
【図２】
2004255055.tif 000004
【図３】
2004255055.tif 000005
(57)【要約】【課題】幼児が思いのまま使用できる幼児用スプーンを提供することを目的とする。【解決手段】幼児用スプーン１０は、湾曲した握り部１１と、握り部１１の両端に設けられた握り部の湾曲に沿ったスプーンの匙部１２ａ、１３ａとを含む。【選択図】        図１
2004255087.tif 000002
【特許請求の範囲】
【請求項１】
一つの平面内で湾曲した握り部と、
前記握り部の両端に設けられ、前記平面に交差する方向に深くなる匙部とを含む、幼児用スプーン。
【請求項２】
前記匙部は前記握り部の湾曲に沿って設けられる、請求項１に記載の、幼児用スプーン。
【請求項３】
握り部の前記匙部の裏側の前記匙部の近傍には突起部が設けられる、請求項１に記載の、幼児用スプーン。
【請求項４】
前記握り部の両端に設けられる匙部は実質的に同じ形状である、請求項１から３のいずれかに記載の幼児用スプーン。
【発明の詳細な説明】
【０００１】
【発明の属する技術分野】
この発明は幼児用スプーンに関し、特に、幼児が左手または右手で容易につかんで食物をすることができる幼児用スプーンに関する。
【０００２】
【従来の技術】
従来の幼児用スプーンが、たとえば下記の特許文献１に開示されている。図２は特許文献１に開示されたスプーン２０を示す図である。
【０００３】
図２を参照して、従来の幼児用スプーン２０は、把手部２１に対して匙部２２が直角に構成されていた。幼児は把手部２１を右手でつかんで、匙部２２に食物を載せて口へ運んで食事を行っていた。
【０００４】
【特許文献１】
特開平９−２６６８４３号公報（段落番号０００７、図２）
【０００５】
【発明が解決しようとする課題】
従来の、幼児用スプーンは上記のように構成されていた。図に示すように基本的に右利きの幼児用に作成されていた。
【０００６】
幼児は一般に生まれついたときは右利きとか左利きといった区別はなく、成長するにつれて右利きが増えるのは、親が無理矢理そのようにしつけをするためである。
【０００７】
一方、幼児としては、右利きとして成長する方が左利きとして成長するよりも良いというわけではない。左利きとなれば右脳が活性化されるであろうし、両手が自由に使えればより好ましい。少なくとも幼児の段階では幼児が自由におもいのまま各種の食器等を使用できるのが好ましい。
【０００８】
この発明は上記のような問題点に着目してなされたもので、幼児が思いのまま使用できる幼児用スプーンを提供することを目的とする。
【０００９】
【課題を解決するための手段】
この発明にかかる幼児用スプーンは、一つの平面内で湾曲した握り部と、握り部の両端に設けられ、平面に交差する方向に深くなる匙部とを含む。
【００１０】
湾曲した握り部の両端に握り部の両端に平面に交差する方向に深くなるスプーンの匙部が設けられているため、幼児が握り部をもってスプーンを持ったとき、その手が右手でも左手でも、いずれの手で持っても手の親指側にスプーンの匙部がくる。その結果、右利きでも左利きでも、利き手がいずれであっても使用できるスプーンが提供できる。
【００１１】
好ましくは、匙部は握り部の湾曲に沿って設けられる。
【００１２】
さらに好ましくは、握り部の両端に設けられる匙部は実質的に同じ形状である。
【００１３】
さらに好ましくは、握り部の匙部の裏側の匙部の近傍には突起部が設けられる。
幼児がスプーンを持ったとき親指がこの突起部に当たるため、幼児はスプーンを適切な位置でつかむことができる。
【００１４】
【発明の実施の形態】
以下この発明の実施の形態を図面を参照して説明する。
【００１５】
図１はこの発明の一実施の形態に係る幼児用スプーン１０を示す図である。（Ａ）はスプーン１０の平面図であり、（Ｂ）は底面図であり、（Ｃ）は側面図である。
【００１６】
図１（Ａ）を参照して、この発明の一実施の形態にかかる幼児用スプーン１０は、一つの平面内で湾曲した把手部１１と、把手部１１の一方端に把手部１１を形成する平面に交差する方向に深くなる右利き用匙部１２ａと、他方端側に設けられた左利き用匙部１３ａとを含む。なお、この図では、匙部１２ａ、１３ａはともに握り部の湾曲に沿って設けられているが、これに限る物ではなく、把手部１１に対して直角方向に形成されていてもよく、任意の角度で形成されうる。
【００１７】
また、匙部１２ａ、１３ａはともに実質的に同一形状を有している。
【００１８】
図１（Ｂ）および（Ｃ）を参照して、スプーン１０の裏側には、右利き用匙部凹部１２ｂおよび左利き用匙部凹部１３ｂならびに、それぞれの近くに突起部１４ａ、１４ｂが設けられている。幼児がスプーン１０の把手部１１を右手でつかんだとき、突起部１４ａに親指が当り適切な位置でスプーン１０をつかむことができる。一方、左手で把手部１１をつかんだとき、突起部１４ｂが同様の作用を行う。
【００１９】
このスプーン１０であれば、幼児は右手、左手のいずれでも好きな方の手でスプーン１０をつかんで食事ができるため、幼児は自分の意思のままに手を使うことができる。その結果、幼児の脳はなんらの拘束を受けることなくの成長し、好ましい発育が期待できる。
【００２０】
また、幼児に食事を与える母親がこのスプーンを使用したときは、母親の利き腕に対応できる。
【００２１】
図面を参照してこの発明の一実施形態を説明したが、本発明は、図示した実施形態に限定されるものではない。本発明と同一の範囲内において、または均等の形態に限定されるものではない。本発明と同一の範囲内において、または均等の範囲内において、図示した実施形態に対して種々の変更を加えることが可能である。
【図面の簡単な説明】
【図１】幼児用スプーンを示す図である。
【図２】従来の幼児用スプーンを示す図である。
【符号の説明】
１０  幼児用スプーン、１１  把手部、１２  右利き用匙部、１３  左利き用匙部、１４  突起部。
【図１】
2004255087.tif 000003
【図２】
2004255087.tif 000004
(57)【要約】【課題】就寝中、下半身に外気の浸入を防ぐ、及び敷布団に筒状に付けたまま収納出来る寝具を提供する。【解決手段】寝具の上部面と下部面部分を筒状に縫製する、また下部カット面と下部カット面にマジックテープを付ける。【選択図】  図４
2004255143.tif 000002
【特許請求の範囲】
【請求項１】
羽毛やわた等でキルト縫製した上部面と下部面を筒状に縫製する事によって敷布団やベットにかぶせた時、使用する人の身長にあわせ自在に移動し調節できる寝具。
【請求項２】
マイヤー織りや起毛した生地上部面と下部面を筒状に縫製する事によって敷布団やベットにかぶせた時、使用する人の身長にあわせ自在に移動し調節できる寝具。
【請求項３】
上部面と下部面を筒状に縫製し下部面をカットし下部面同士をマジックテープで付けることにより巾を調節できる請求項１、請求項２の寝具。
【発明の詳細な説明】
【０００１】
【発明の属する技術分野】本発明は、敷布団やベットに筒状にかぶせた時、身長に合わせて自在に移動し調節できる、また敷布団やベットの巾にあわせ調節できる。
【０００２】
【従来の技術】従来、上に掛けただけでは、横からの隙間が出来て冷たい外気が入って来るため敷布団やベットの間に挟んでいた。
【０００３】
【発明が解決しようとする課題】毎日敷布団やベットの間に挟んでいる。
【０００４】そこで、本発明の目的は、上記問題を解決して、敷布団に筒状にかぶせる事によって外気の浸入を防ぎ、敷布団やベットにかぶせたまま収納することが出来る。
【０００５】
【課題を解決するための手段】上記課題を達成するために、本発明の寝具は、上部面と下部面を筒状に縫製する。
【０００６】また、本発明の寝具は、上部面と下部面を筒状に縫製し下部面をカットし、下部面同士をマジックテープでつける。
【０００７】
【発明の実施の形態】以下、本発明の寝具の実施の形態を図面に基づいて説明する。図１に示すように上部面１と下部面２の部分を縫製部分３、縫製部分４で縫製したものである。
【０００８】また、図３に示す下部カット面１１にマジックテープオス６の部分と下部カット面２２にマジックテープメス５の部分を付けることによって巾を調節することが出来る。
【０００９】
【発明の効果】本発明は、以上説明したように構成されているので、下記に記載されるような効果を奏する。
【００１０】敷布団やベットに筒状に使用することにより下半身に外気の侵入を防ぐことができ保温力を増すことが出来る。
【００１１】また、敷布団やベットに筒状に使用することにより身長に合わせ自在に調節することが出来る、また敷布団やベットの巾にあわせ調節することが出来る。
【図面の簡単な説明】
【図１】本発明の寝具の好適合例の全体斜視図である。
【図２】図１の寝具の断面図である。
【図３】下部面の巾の調節が出来る状態を表す断面図である。
【図４】図１の寝具の使用状態を表す全体斜視図である。
【符号の説明】
１    上部面
２    下部面
３    縫製部分
４    縫製部分
５    マジックテープメス
６    マジックテープオス
１１  下部カット面
２２  下部カット面
【図１】
2004255143.tif 000003
【図２】
2004255143.tif 000004
【図３】
2004255143.tif 000005
【図４】
2004255143.tif 000006
(57)【要約】【課題】確実に、しかも長期にわたり繰り返し使用できる台所用水跳ねガードを提供する。【解決手段】人間の肩幅程度の幅を有し、適宜の高さを有する保形性のあるプラスチック製板による前板の裏面の略中央部付近から前板の下端部に向かって、前板の下端部と同程度かあるいはやや長めのプラスチック板の前板保持板を接着し、該前板と前板保持板とによって、シンクの前側の縁を挟着することにより、固定し、シンク内での食器などの洗浄の際に跳ねた水が作業者の衣服を濡らすことがない台所用水跳ねガードである。【選択図】      図１
2004255141.tif 000002
【特許請求の範囲】
【請求項１】
人間の肩幅程度の幅を有し、適宜の高さを有する保形性のあるプラスチック製板による前板の裏面の略中央部付近から前板の下端部に向かって、前板の下端部と同程度かあるいはやや長めのプラスチック板の前板保持板を接着し、該前板と前板保持板とによって、シンクの前側の縁を挟着することにより、固定し、シンク内での食器などの洗浄の際に跳ねた水が作業者の衣服を濡らすことがない台所用水跳ねガード。
【発明の詳細な説明】
【０００１】
【発明の属する技術分野】
本発明は、家庭などにおける、食器などの洗浄用シンクにおいて、主婦などの作業者の衣服を濡らすことのない台所用の水跳ねガードに関するものである。
【０００２】
【従来の技術】
登録実用新案第３０５９９３１号公報
【０００３】
台所などに設置された洗浄用シンクで皿、茶碗、鍋のなどの食器類や野菜などを洗うときには水跳ねがつきものであり、作業者は水跳ねによって衣服を濡らすことがしばしばあった。従来は、前掛けなどをつけて跳ねた水が衣服を濡らすことを防止していたが、衣服の濡れはある程度防止できるが、前掛けに飛び散った水が足元に落下し、床を濡らすことがしばしばあり、この防止が課題であった。
そこで、前期の登録実用新案第３０５９９３１号公報では、シンクの手前側の内側の壁面に、水跳ね防止板を吸盤により取り付け、上記の問題を解決していたが、吸盤による水跳ね防止板の取り付けは固定が不安定であり、特に長期間取り付け、取り外しを繰り返していると固定が不能になることがあり、長期の使用に耐えられないことがあった。
【０００４】
【発明が解決しようとする課題】
そこで、本発明者は、上記の問題を解決するために、確実に、しかも長期にわたり繰り返し使用できる台所用水跳ねガードを発明した。
【０００５】
【課題を解決するための手段】
即ち本発明は、人間の肩幅程度の幅を有し、適宜の高さを有する保形性のあるプラスチック製板による前板の裏面の略中央部付近から前板の下端部に向かって、前板の下端部と同程度かあるいはやや長めのプラスチック板の前板保持板を接着し、該前板と前板保持板とによって、シンクの前側の縁を挟着することにより、固定し、シンク内での食器などの洗浄の際に跳ねた水が作業者の衣服を濡らすことがない台所用水跳ねガードである。
【０００６】
本発明の保形性のあるプラスチック製板による前板はウレタンフォームなどの軽量で、保形性と自立性のある材質が適している。
【０００７】
前板保持板は上記の前板よりはやや軟質のプラスチック素材、ポリエチレンやポリウレタンシートなどで構成し、前板の裏面、作業者側に接着剤などにより取り付けられる。この際、シンクの前側、作業者側の縁の幅、おおよそ４〜１０ｃｍの幅を保持するように逆Ｌ字型に曲折して取り付けられるように形成する。前板保持板は、前板の取り付けをより確実に、また、安定させるために、シンクの前側の縁の高さか、それより若干長めにする。
【０００８】
上記の水跳ねガードは、これを台所などのシンクの手前側の縁に装着する事により、食器洗いなどの洗浄作業中に水道から勢いよく水を流しても作業者の衣服を濡らすことなく、また床などへも飛び散る事も防止できるので、不快なことが防止できるだけでなく衛生的である。
【０００９】
【実施例】
本発明をさらに詳細に図面に基づき実施例をあげながら説明する。
図１は本発明の側面図、図２は正面図である。図中１は前板で、厚さ０．５〜１．５ｃｍのポリウレタンフォームの板状体で、幅は人間の肩幅（両手を伸ばした際の両腕の間隔程度）例えば、３５〜４５ｃｍ程度とする。この前板の高さは、頂部が人間が直立した際の胸の高さに来るように、シンクの高さ８０ｃｍの場合５０ｃｍ程度とする。この場合作業者の背丈に合せるように頂部から５ｃｍ置きに２から３箇所、高さ調整切断印２を設けておくと、作業者の身長に合せて適宜切断できるので、丁度良い高さの前板とする事ができる。
【００１０】
上記前板の裏面に前板保持板３を接着剤や固定具（ビス等）を用いて接着する。前板保持板３の接着位置は、例えば、シンクの深さ（通常は１０〜２０ｃｍ）の位置の裏側に接着し、前板１と前板保持板３とでシンクの前側の縁を挟むようにして取り付ける。この場合前板保持板３を逆Ｌ字型に曲折させて、シンク保持部４を形成するとより安定的に本発明の水跳ねガードを取り付けることができる。シンク保持部の幅は通常４〜８ｃｍ程度である。前板保持板３は前板１の裏面の前幅にわたるように取り付けても良いが、前板１の幅の２分の一程度の幅で、前板１の略中央部に取り付ける。前板保持板３の高さは、下端部がシンクの前側の縁の高さ程度、例えば１０〜２０ｃｍの高さとする。
【００１１】
【発明の効果】
本発明の水跳ねガードは、これを台所などのシンクの手前側の縁に装着する事により、食器洗いなどの洗浄作業中に水道から勢いよく水を流しても作業者の衣服を濡らすことなく、また床などへも飛び散る事も防止できるので、不快なことが防止できるだけでなく衛生的である。特に、本発明は、前板とそれに裏側から保持し、シンクの縁に挟着して取り付けるという簡単な構造であるために、従来の吸盤などを使用するものに比較して、取り付け、取り外しを頻繁に繰り返してもその機能が低下する事がない。
【図面の簡単な説明】
【図１】本発明の実施態様を示す側面図である。
【図２】本発明の実施態様を示す斜視図である。
【符号の説明】
１・・・前板、３・・・前板保持板、
【図１】
2004255141.tif 000003
【図２】
2004255141.tif 000004
(57)【要約】【課題】この発明は、カーテン用ローレットリングに関するものである。【解決手段】ローレット用リング（３）の下部に錘りになるべき棒状（４）を取り付け上部の装飾物（１）のを姿勢常に安定させる。【選択図】  図２
2004255147.tif 000002
【特許請求の範囲】
【請求項１】
カーテン用ローレットリングの上部に取り付けた細い棒状の物に装飾物などを取り付ける。ローレットリングの下部には上部の装飾物の不安定な姿勢や不必要な回転を防ぐための錘りを取り付け装飾物を安定させる。
【発明の詳細な説明】
【０００１】
【発明に属する技術分野】
本発明はカーテンを吊るすためのローレット用リングに関するものである。リングの上部に重みのある装飾物などを取り付けたとき、その物の姿勢が不安定にならないように、リングの下部に錘りとなる棒状の物を取り付け上部の装飾物などを常に安定させることができる。
【０００２】
【従来の技術】
従来のカーテン用ローレットリングはカーテンのフックを架けるためだけの物であるため、リングの上部に装飾物など重みのある物を取り付けた場合装飾物の姿勢が不安定になる。
【０００３】
【発明が解決しようとする課題】
従って本発明は従来のローレットリングにない装飾物などを安定した姿勢に保つための錘りとなる棒状の物を取り付けるため装飾物が安定させることができる。
【０００４】
【課題を解決するための手段】
構成の説明をすると。
（イ）装飾物など。
（ロ）装飾物を固定するための強度のある細い棒をリングに付ける。
（ハ）強度のある本体リング。
（ニ）装飾物の姿勢を安定させるための錘りとなる強度と重さのある棒状のの物をリングに固定する。
（ホ）錘りとなる棒状の下部にカーテンを吊るためのフック用の小さいリングを取り付ける。
以上のような構成とする。
【０００５】
【発明の実施の形態】
次に本発明の実施の形態を述べると、上部に取り付ける装飾物（１）となる素材には軽く強度のある成型した樹脂類か薄く成型した金属、例えば中空の球体など、また自然素材である木や自然石を使う。
装飾物としてだけではなく成型した樹脂の中に小型の発光ダイオードと電池を組み込み小さな照明器具とする。
装飾物の形体としては球体、星、月、花、木の葉、木の枝、宝石の形ち、アルハベット、数字などの文字類、十字架などのシンボルマーク類、クマ、犬、猫、ウサギなどの動物類の形を使う。
装飾物（１）と本体リング（３）を固定する棒（２）の素材には細くても強度のある金属か、樹脂類を使う。
本体リング（３）の素材には強度に耐える金属か樹脂類、又は木を使う。リング（３）の外側に金属、内側に樹脂類と二種類を組み合わせて使う場合もある。リング（３）の大きさはローレット（６）の太さにより変わる。
装飾物（１）の姿勢を常に安定させるために重要な働きをするリング（３）の下部に固定し錘りとなる棒状（４）の部分には重さと強度に耐える金属か樹脂類を使う。錘りとなる棒（４）は装飾物（１）を常に安定させるため重さや長さを変える。
錘りとなる棒（４）の下部にはカーテンを吊るすためのフックを架けるための自由に動く小さなリング（５）を付ける。このリングにはカーテンの重さが直接かかるため強度耐える金属か樹脂類を使う。
【０００６】
【発明の効果】
以上、このローレット用リングは特に錘りとなる棒（４）の効果により装飾物（１）の姿勢を常に安定させ、回転などの不要な動きを防ぐ。リング（３）の上部に各種の装飾物（１）取り付けるだけではなく小さなランプを取り付け照明器具として使うことができる。
【図面の簡単な説明】
【図１】本発明の図面である。
【図２】本発明の斜視図である。
【図３】本発明の使用中の斜視図である。
【符号の説明】
１は装飾物
２は装飾物とリングを固定する棒
３は本体リング
４は錘りの役割をする棒
５はカーテンを吊るすためのフック用リング
６はカーテン用ローレット
【図１】
2004255147.tif 000003
【図２】
2004255147.tif 000004
【図３】
2004255147.tif 000005
(57)【要約】【課題】使用後の牛乳パックをリサイクルのために簡単に解体することができる牛乳パック解体用カッターを提供する。【解決手段】外側に握り部分（６）を設けたＬ字形支持体（１）の凹部の中心線から約１ｍｍの位置に、牛乳パックを内側から支持するための止め具（２）を設けた刃Ａ（３）および刃Ｂ（４）を、Ｌ字形支持体（１）と約１０度の角度をなすように、着脱可能な状態で固定する。さらに、収納時に刃を保護するための蝶番（７）をＬ字形支持体（１）に設け、刃Ｂ（４）には刃が牛乳パックの内壁を傷つけるのを防ぐためのゴム製のカバーを付けたことを特徴とする。【選択図】  図２
2004255148.tif 000002
【特許請求の範囲】
【請求項１】
牛乳パックを外側から支持するＬ字形支持体（１）の、凹部の中心線から約１ｍｍ離れた位置に、Ｌ字形支持体（１）と約１０度の角度をなすように刃Ａ（３）を固定した牛乳パック解体用カッター。
【請求項２】
刃Ａ（３）に、牛乳パックを内側から支持する止め具（２）を設けた、請求項１記載の牛乳パック解体用カッター。
【発明の詳細な説明】
【０００１】
【発明の属する技術分野】
この発明は、使用後の牛乳パックをリサイクルのために簡単に解体することができる牛乳パック解体用カッターに関するものである。
【０００２】
【従来の技術】
従来の牛乳パック解体用カッターは、牛乳パックの壁面に対し４５度の角度で刃を差し込み、牛乳パックをＬ字形、またはＹ字形の支持体で外側のみから支えながら、カッターを移動させて切断していた。
【０００３】
【発明が解決しようとする課題】
イ  作業途中で刃が切断部分から抜けやすく、作業の確実性・安全性に問題があった。
ロ  牛乳パックの角の部分で切断方向を変える時、一度切断部分から刃を抜いたり、牛乳パックに無理な力をかけて刃の方向を変える必要があった。
本発明は、以上の欠点を解決するためになされたものである。
【０００４】
【課題を解決するための手段】
Ｌ字形支持体（１）の外側に握り部分（６）を設ける。Ｌ字形支持体（１）の凹部の中心線から約１ｍｍ離れた位置に、牛乳パックを内側から支持するための止め具（２）を設けた刃Ａ（３）および刃Ｂ（４）を、Ｌ字形支持体（１）と約１０度の角度をなすように、着脱可能な状態で固定する。さらに、収納時に刃を保護するための蝶番（７）をＬ字形支持体（１）の片側に設け、刃Ｂ（４）には刃が牛乳パックの内壁を傷つけるのを防ぐためのゴム製のカバーを付ける。
本発明は、以上の構成よりなる牛乳パック解体用カッターである。
【０００５】
【発明の実施の形態】
以下、本発明の実施の形態を説明する。
イ  Ｌ字形支持体（１）の外側に握り部分（６）を設ける。
ロ  Ｌ字形支持体（１）に、収納時に刃を保護するための蝶番（７）を設ける。
ハ  Ｌ字形支持体（１）の凹部の中心線から約１ｍｍ離れた位置に、止め具（２）を設けた刃Ａ（３）および刃Ｂ（４）を、Ｌ字形支持体（１）と約１０度の角度をなすように、着脱可能な状態で固定する。
ニ  刃Ｂ（４）に、刃が牛乳パックの内壁を傷つけるのを防ぐためのゴム製のカバー（５）を付ける。
本発明は、以上の構成よりなっている。
本発明を使用する時は、まず蝶番（７）を広げて握り部分（６）を持ち、刃Ｂ（４）で牛乳パックの開口部の角に切れ込みを入れる。
次に、切れ込みに刃Ａ（３）を当て、牛乳パックの底面方向に移動させながら牛乳パックの縦部分を切断する。このときＬ字形支持体（１）の内側は牛乳パックの外側を支え、刃Ａ（３）と止め具（２）は牛乳パックの内側を支えることとなるため、作業途中で刃Ａ（３）を切断部分から脱落させることなく切断できる。
切断部分が牛乳パックの底面まで到達すると、Ｌ字形支持体（１）を底面側に９０度回転させて底面と側面に密着させた状態にし、そのまま下向きに移動させて底面の一辺を切断する。
次に、牛乳パックを底面から見て反時計回りに９０度回転させて切断した側面を開き、Ｌ字形支持体（１）を底面と側面に密着させた状態で移動させて、底面の一辺をさらに切断する。これをもう一度繰り返すことで、牛乳パックを完全に解体することができる。
切れ味が悪くなった時は、刃Ａ（３）、刃Ｂ（４）および止め具（２）のついた刃部分をＬ字形支持体（１）から外すことで、新しいものと交換する。
【０００６】
【発明の効果】
本発明を使用する事によって、牛乳パックを簡単に解体できるので、これまでの使用後の牛乳パック解体の手間、苦痛を解決することができる。また、長期的には、牛乳パックのリサイクルを手軽に実行できるようにすることで、循環型社会の構築を促進する効果がある。
【図面の簡単な説明】
【図１】本発明の三面図である。
【図２】本発明の分解斜視図である。
【図３】本発明の使用状態を示す斜視図である。
【図４】本発明の使用手順を示す斜視図である。
【符号の説明】
１  Ｌ字形支持体
２  止め具
３  刃Ａ
４  刃Ｂ
５  カバー
６  握り部分
７  蝶番
【図１】
2004255148.tif 000003
【図２】
2004255148.tif 000004
【図３】
2004255148.tif 000005
【図４】
2004255148.tif 000006
(57)【要約】【課題】６本組木各ブロックの切欠き形状を工夫し、組立て方法を複数化しパズルにしたものである。【解決手段】各組木ブロックの切欠き形状を工夫し、パズル化した６本組木である。【選択図】  図１
2004255142.tif 000002
【特許請求の範囲】
【請求項１】
６本組木ブロック６本の切欠き形状。
【発明の詳細な説明】
この発明は、６本組木ブロック６本を（図１）のように切欠くことにより、内部に空洞を作らず且つ組立て方法が６通り（写真１〜６）出来るように考案しパズルとして楽しめるようにしたものである。
従来の６本組木は組立て方法が１通りのものが多い。  又ピンクロスのように特殊な条件を与えられた範囲で組立てなければならない物は、組立て方法は多いが内部に遊び（空洞部分）が多く出来る。
【図面の簡単な説明】
【図１】本発明６本組木ブロック６本の斜視図
【図２】６本組木パズル組立て後の斜視図
【分解図】
本発明６本組木ブロック６本の写真。（分かり易いように着色したものである）
【組立図１〜６】
６本組木パズル組立て後の写真。（６種類）分かり易いように赤いブロックを基準に撮影したものである。
【図１】
2004255142.tif 000003
【図２】
2004255142.tif 000004